(57)【要約】【課題】人の手による頸椎牽引の施術を行う際の補助帯として有用で、施術者が、腕の力だけでなく施術者自身の体重、もしくは後ろに倒れる力を利用して施術することで、施術者の肉体的負担が軽減できると共に、繊細かつ安全で充分に効果的な施術が可能になる頸椎牽引用補助帯を提供する。【解決手段】頸椎牽引用補助帯Ａは、施術者の胴部に装着可能で、施術の際の引き元となる引き掛け具１と、施術者の肩部近傍に装着可能で、施術の際の吊り元となる吊り掛け具２と、吊り掛け具２および引き掛け具１の前部に一体となるように配され、被施術者の頭部を直接または間接的に保持することができる頭部保持具３とを備える。【選択図】図１
2017140249.tif 000002
【特許請求の範囲】
【請求項１】
施術者の胴部に装着可能で、施術の際の引き元となる引き掛け部と、
施術者の肩部近傍に装着可能で、施術の際の吊り元となる吊り掛け部と、
該吊り掛け部および前記引き掛け部の何れか一方または双方の前部に一体となるように配され、被施術者の頭部を直接または間接的に保持することができる頭部保持部とを備える
頸椎牽引用補助帯。
【請求項２】
前記引き掛け部と前記吊り掛け部が一体に形成されている
請求項１の頸椎牽引用補助帯。
【請求項３】
頭部保持部の所要箇所に、施術の際の引っ張り力を検出する張力センサを備える
請求項１または２の頸椎牽引用補助帯。
【請求項４】
頭部保持部が、三角巾形状の受布を備える
請求項１、２または３の頸椎牽引用補助帯。
【請求項５】
頭部保持部が、一組の相対向する辺が他の組の相対向する辺より長い長方形の基布で形成され、二箇所の頂点が所要間隔でずれている三角巾形状の受布を備える
請求項１、２、３または４の頸椎牽引用補助帯。
【発明の詳細な説明】
【技術分野】
【０００１】
本発明は、頸椎牽引用補助帯に関するものである。詳しくは、人の手による頸椎牽引の施術を行う際の補助帯として有用で、施術者が、腕の力だけでなく施術者自身の体重、もしくは後ろに倒れる力を利用して施術することで、施術者の肉体的負担が軽減できると共に、繊細かつ安全で充分に効果的な施術が可能になるものに関する。
【背景技術】
【０００２】
ヒトは、進化の過程において、四足歩行から次第に二足歩行に移行したとされている。二足歩行になると、脊椎が立った状態で頭部を支えるために、脊椎にかかる負荷が平均化しにくく、偏ってしまう。このため、長い間には脊椎だけでなく身体全体にも歪みを生じるようになり、脊椎を通る神経に良くない影響が出て、これがヒトの様々な病気を引き起こす原因のひとつになっているといわれている。
【０００３】
そして、年来の健康指向に乗じて、頸椎を始めとする脊椎の歪みを矯正するための器具も様々なものが提案されている。そのような器具の一例としては、特許文献１に記載された「身体牽引機」がある。
【０００４】
上記従来の「身体牽引機」は、身体の牽引時に足首部、後頭部、顎下部及び上腕脇部を保持する長さ調節可能な保持ベルトを有し、ベッド床板が一部移動することを特徴とする身体牽引機であり、使用者自身または補助者がハンドル操作によってベッド床板を動かして、使用者の上記各部分の牽引を行うことができる、というものである。
【先行技術文献】
【特許文献】
【０００５】
【特許文献１】特開平９−１３５８５７号公報
【発明の概要】
【発明が解決しようとする課題】
【０００６】
しかしながら、上記従来の身体牽引機には、次のような課題があった。
すなわち、従来の身体牽引機は、使用者自身または補助者がハンドル操作により牽引の強さを調整できるようになってはいるが、顎に掛けられる保持ベルトは使用者の頸椎を単に引っ張るだけである。
【０００７】
加えて、そもそも身体牽引機は、例えば人（施術者）の手による施術とは異なり、使用者以外が使用者の表情や反応を確かめながら施術するようにはなっていないので、繊細かつ安全で充分に効果的な施術を行うことはできない。したがって、施術による効果はあまり期待できないか、あるいは限定的であった。
【０００８】
更には、身体牽引機の操作をするのは使用者自身や補助者であり、その補助者も施術の専門家ではないことが多い。このため、保持ベルトの顎への掛け方が悪く、首や顎に食い込んでしまったり、ハンドルの操作の加減を過って頸椎を引っ張りすぎたりするような危険な要素もいくつか存在する。したがって、身体牽引機の使用中に事故が起こる可能性も少なからずあった。
【０００９】
本発明は、以上の点を鑑みて創案されたものであり、人の手による頸椎牽引の施術を行う際の補助帯として有用で、施術者が、腕の力だけでなく施術者自身の体重、もしくは後ろに倒れる力を利用して施術することで、施術者の肉体的負担が軽減できると共に、繊細かつ安全で充分に効果的な施術が可能になる、頸椎牽引用補助帯を提供することを目的とする。
【課題を解決するための手段】
【００１０】
（１）上記の目的を達成するために本発明は、
施術者の胴部に装着可能で、施術の際の引き元となる引き掛け部と、
施術者の肩部近傍に装着可能で、施術の際の吊り元となる吊り掛け部と、
該吊り掛け部および前記引き掛け部の何れか一方または双方の前部に一体となるように配され、被施術者の頭部を直接または間接的に保持することができる頭部保持部とを備える
頸椎牽引用補助帯である。
【００１１】
例えば整体院や接骨院などで、頸椎牽引用補助帯を使用する場合には、施術者は、引き掛け部を胴部に装着し、あわせて吊り掛け部を肩部近傍に装着する。これにより、吊り掛け部と引き掛け部の前部、すなわち施術者の前方に頭部保持部が位置した状態となる。
【００１２】
また、被施術者は、所要の高さのベッドまたは台の上に仰臥させておく。施術者は、頭部保持部を、仰臥した被施術者の頭部を受けるように後頭部に回し掛ける。次に、施術者は、両手を頭部保持部と被施術者の後頭部の間に差し入れて、その状態で身体を起こしたり前後に動かしたりして、頭部を頭部保持部と両手でやや浮かせた状態で支えるようにする。
【００１３】
この場合は、施術者の両手が、頭部保持部と被施術者の後頭部の間に挟まれて、施術中はほぼ固定されて外れにくく、かつ掌部で直接被施術者の後頭部に触れることができる。これにより、施術者は施術にあたって力が入れやすく、その加減も細かく調節できるので、施術がしやすい。
【００１４】
また、この状態では、上述のように施術者が姿勢を変えることにより、例えば施術者が肩部で支える吊り掛け部に、被施術者の頭部の重さの大部分が作用するようにし、両手にはそれほど作用しないように加減することができる。これにより、長時間の施術を行う場合でも、施術者の両手の疲れなど、肉体的負担を軽減することが可能になる。
【００１５】
頭部保持部が、吊り掛け部および引き掛け部の双方の前部に一体となるように配されているものは、頭部保持部の吊り動作および引き操作を行う際に、吊り掛け部および引き掛け部からの力を頭部保持部に対し、より確実に伝えることができるので、効果的な施術が可能になる。なお、施術者は、頭部保持部の外側から両手の掌部を添えて、その状態で頭部を支えるようにすることもできる。
【００１６】
そして、施術者は、上述のように、両手と頭部保持部で被施術者の頭部を支えた状態で、頸椎を牽引する施術を行うことができる。具体的には、施術者は、両手と頭部保持部によって被施術者の頭部を保持し、その状態で両手による牽引（引っ張り）を頭部保持部によりアシストするという、両手による力と頭部保持部による力のバランスを意識しながら、被施術者の頸椎を牽引する。
【００１７】
この施術においては、頸椎牽引用補助帯により施術の補助をすることで、施術者が、牽引をする力の強さや牽引の方向などを加減したり、あるいは調整したりすることが可能であり、人の手による頸椎牽引の施術を行う際の補助帯として有用である。
【００１８】
具体的には、被施術者の頸椎を引っ張ったり緩めたり、引っ張る方向を少し変えたり軽く捻ったりするなど、被施術者の表情や反応を確かめながら繊細かつ安全で充分な施術を行うことができる。したがって、頸椎を牽引する施術において、施術の効果に優れ、安全性が高い施術を行うことができる。
【００１９】
（２）本発明は、
前記引き掛け部と前記吊り掛け部が一体に形成されている構成としてもよい。
【００２０】
この場合は、引き掛け部と吊り掛け部が分かれているものと比較して、施術者が装着する際の取り扱いがしやすい。また、施術者が装着する際に、特に引き掛け部の取り付け位置にバラツキが生じにくいので、より安定した効果的な施術が可能になる。
【００２１】
（３）本発明は、
頭部保持部の所要箇所に、施術の際の引っ張り力を検出する張力センサを備える構成としてもよい。
【００２２】
この場合は、施術中において、被施術者の頸椎を牽引している力をリアルタイムで確認することができる。これにより、例えば施術の際の引っ張り力を、被施術者ごとに設定した安全かつ効果的な値で管理することが可能になる。
【００２３】
（４）本発明は、
頭部保持部が、三角巾形状の受布を備える構成とすることができる。
【００２４】
この場合は、三角巾形状の受布の頂部が被施術者の頭頂側となるようにして頭部を支えるようにすれば、三角巾形状の受布の全巾部において底辺側に近い部分で、被施術者の後頭部かつ頸椎（首部）に近い部分をしっかりと支えることができる。また、受布が三角巾形状であり、施術中に受布の両端側が被施術者の顔側に回り込んでも、両側が斜めに切れている形状であるため、被施術者にとっては鬱陶しさがなく、快適に施術を受けることができる。
【００２５】
しかも、受布の材料である布は、通常では柔軟性があり、被施術者の後頭部の形状、または施術者の手の甲部の形状に沿って変形するので、受布によりそれぞれの部分に作用する力を無駄なく伝えることができ、施術がよりしやすくなる。
【００２６】
特許請求の範囲及び明細書にいう「三角巾」の用語は、例えば正方形状の布状物を一つの対角線を折り曲げ線として折り重ねて、二箇所の頂点を揃えた直角二等辺三角形状の布の意味であるが、これに限定されるものではなく、二箇所の頂点が所要間隔でずれているものも含む意味で使用している。
【００２７】
（５）本発明は、
頭部保持部が、一組の相対向する辺が他の組の相対向する辺より長い長方形の基布で形成され、二箇所の頂点が所要間隔でずれている三角巾形状の受布を備える構成とすることができる。
【００２８】
この場合は、三角巾形状の受布の頂部が被施術者の頭頂側となるようにして頭部を支えるようにすれば、三角巾形状の受布の全巾部において底辺側に近い部分で、被施術者の後頭部かつ頸椎に近い部分をしっかりと支えることができる。また、受布が三角巾形状であり、施術中に受布の両端側が被施術者の顔側に回り込んでも、両側が斜めに切れている形状であるため、被施術者にとっては鬱陶しさがなく、快適に施術を受けることができる。
【００２９】
更には、二箇所の頂点が所要間隔でずれているので、受布は底辺から頂点方向における巾の平均が、各頂点が揃っているものと比較して、より広くなっている。これにより、被施術者の頭部を支える際に、後頭部に触れる面積または施術者の手の甲部に触れる面積がより広くなるので、頭部をより安定な状態で支えることが可能になる。
【００３０】
しかも、受布の材料である布は、通常では柔軟性があり、被施術者の後頭部の形状、または施術者の手の甲部の形状に沿って変形するので、受布によりそれぞれの部分に作用する力を無駄なく伝えることができ、施術者は施術がよりしやすくなる。
なお、受布は、正方形状の基布を対角線の中間を中心として所要角度回転させた直線を折り曲げ線とし、折り重ねて二箇所の頂点をずらした形状の受布を備える構成とすることもできる。
【発明の効果】
【００３１】
本発明は、人の手による頸椎牽引の施術を行う際の補助帯として有用で、施術者が、腕の力だけでなく施術者自身の体重、もしくは後ろに倒れる力を利用して施術することで、施術者の肉体的負担が軽減できると共に、繊細かつ安全で充分に効果的な施術が可能になる、頸椎牽引用補助帯を提供することができる。
【図面の簡単な説明】
【００３２】
【図１】本発明に係る頸椎牽引用補助帯の第１実施の形態、およびその使用状態を示す斜視説明図である。
【図２】頸椎牽引用補助帯の一実施の形態を示す正面視分解説明図である。
【図３】頸椎牽引用補助帯の一実施の形態を示す背面視分解説明図である。
【図４】頸椎牽引用補助帯の受布を利用して被施術者の頭部を保持する方法を示す説明図である。
【図５】本発明に係る頸椎牽引用補助帯の第２実施の形態を示す側面説明図である。
【発明を実施するための形態】
【００３３】
図１ないし図４を参照して、本発明の実施の形態を更に詳細に説明する。
頸椎牽引用補助帯Ａは、施術の際に後方へ引き動作をするときの引き元となる引き掛け具１と、引き掛け具１と一体になっており施術の際に吊り上げ動作をするときの吊り元となる吊り掛け具２と、吊り掛け具２および引き掛け具１の前部に接続されており被施術者の頭部を直接または間接的に保持することができる頭部支持具３とを備えている。
【００３４】
（引き掛け具１）
引き掛け具１は、胴ベルト１０と、その両端部に接続されている前部ベルト１４、１５および引きベルト１２、１３で構成されている。胴ベルト１０は、所要の長さを有するやや幅広いベルト体１００を有し、ベルト体１００の内面側（装着者に接する側）には、全面にわたり、接触する面との間の通気を助けるためのメッシュ地１０１が張設されている。胴ベルト１０は、頸椎牽引用補助帯Ａを装着する施術者の胴囲の、例えば二分の一から四分の三程度の長さとなるように設定されるが、これに限定されるものではなく、適宜設定または調節が可能である。
【００３５】
胴ベルト１０の両端部はやや窄まるように形成されており、両端には前部ベルト１４、１５が基端部を固着してそれぞれ取り付けられている。一方の前部ベルト１４は、ベルト体１４０を有し、その先端部にはバックル（オス）１４１が取り付けられている。他方の前部ベルト１５は、ベルト体１５０を有し、その先端部にはバックル（メス）１５１が取り付けられている。バックル（オス）１４１とバックル（メス）１５１は、互いに係合と係合解除が可能な構造である。
【００３６】
前部ベルト１４、１５は、バックル１４１、１５１を係合することで、引き掛け具１の両端部間を閉じることができる。これにより、胴ベルト１０の装着者の胴部に対し取り付けることができる。また、バックル１４１、１５１を外すことで、引き掛け具１の両端部間を開放することができる。
【００３７】
胴ベルト１０の両端部には、所要長さの引きベルト１２、１３がそれぞれ接続されている。引きベルト１２、１３は、同様の構造であり、ベルト体１２０、１３０を有している。ベルト体１２０、１３０の先端部には、バックル（オス）１２１、１３１が取り付けられている。なお、引きベルト１２、１３の長さは、上述の前部ベルト１４、１５と比較して、より短い長さに設定されている。
【００３８】
（吊り掛け具２）
吊り掛け具２は、二本の肩ベルト２１、２２およびその先端部に接続されている吊りベルト２３、２４で構成されている。肩ベルト２１、２２は、所要長さを有するベルト体２１０、２２０を有し、上述の胴ベルト１０よりやや幅が狭いベルトである。ベルト体２１０、２２０の内面側（装着者に接する側）には、全面にわたり、接触する面との間の通気を助けるためのメッシュ地２１１、２２１が張設されている。
【００３９】
ベルト体２１０、２２０は、基部寄りを斜めに交差させるようにして、胴ベルト１０の上辺部に対し基端部が固定されている。ベルト体２１０、２２０の胴ベルト１０に対する傾斜角度は、本実施の形態では約４５°であるが、これに限定するものではなく、適宜設定することができる。
【００４０】
ベルト体２１０、２２０の先端部には、上述のように所要長さの吊りベルト２３、２４が接続されている。吊りベルト２３、２４は、同様の構造であり、ベルト体２３０、２４０を有している。ベルト体２３０、２４０の先端部には、バックル（オス）２３１、２４１が取り付けられている。
【００４１】
上述の胴ベルト１０および肩ベルト２１、２２は、例えば化学繊維糸や綿糸製の布で形成されるが、これに限定されるものではなく、所要の強度と変形性を有するものであれば、他の材料を適宜用いることもできる。
各ベルトの材料としては、布だけでなく、例えば合成樹脂製の柔軟性を有する板、あるいは金属製のワイヤなど、複数の異なる材料を組み合わせて使用することもできる。また、各ベルトは、施術者（装着者）の体格や体型に適宜合わせることができるように、長さの調節が可能な構造である。
【００４２】
（頭部支持具３）
頭部支持具３は、受布３０と、受布３０の両端部に取り付けられているバックル（メス）３１１、３１２、３２１、３２２で構成されている。支持体３０は、木綿の布で三角巾形状に形成されたものである。具体的には、受布３０は、一組の相対向する辺が他の組の相対向する辺より長い長方形の基布で形成されたものであり、一つの対角線を折り曲げ線として折り重ねることにより二箇所の頂点３０１、３０２が所要間隔でずれている三角巾形状となる。
【００４３】
各図に示した本実施の形態においては、受布３０の底辺側を所要幅で数回折り回して補強部３０３を形成した構造となっている。これにより、受布３０は強度が増し、被施術者の頭部を保持するにあたり安全性が高い。なお、受布は、補強部３０３を形成しない構成とすることもできる。また、受布３０は、正方形状の布状物を一つの対角線を折り曲げ線として折り重ねて、二箇所の頂点を揃えた直角二等辺三角形状としてもよい。
【００４４】
受布３０の底辺側の両端部の同じ一方側の面には、取着布３１、３２を介してバックル（メス）３１１、３２１が取り付けられている。また、受布３０の取着布３１、３２の取り付け側と反対側の面には、取着布３３、３４を介してバックル（メス）３１１、３２１が取り付けられている。バックル３１１、３２１は、それぞれバックル（メス）３１１、３２１に対して約４５°の角度をもって取り付けられている。
【００４５】
頸椎牽引用補助帯Ａは、上述の各部品（引き掛け具１、吊り掛け具２および頭部支持具３）を組み合わせ、一体化して使用される。具体的には、頭部支持具３のバックル３１１を引き掛け具１の引きベルト１２のバックル１２１に係合させ、反対側のバックル３２１を引きベルト１３のバックル１３１に係合させる。
【００４６】
このとき、バックル３１２、３２２が上側に位置するようにする。次に、吊り掛け具２の肩ベルト２１のバックル２３１を頭部支持具３のバックル３１２に係合させ、肩ベルト２２のバックル２４１を頭部支持具３のバックル３２２に係合させる。これにより、引き掛け具１、吊り掛け具２および頭部支持具３が一体化される。なお、頸椎牽引用補助帯は、上述の頸椎牽引用補助帯Ａとは異なり、引き掛け具１を設けずに、吊り掛け具２と頭部保持部３で構成したものとすることもできる。
【００４７】
（作用）
頸椎牽引用補助帯Ａの作用を、頸椎牽引用補助帯Ａを使用した頸椎牽引の施術の方法と共に説明する。
【００４８】
ここでは、例えば整体院や接骨院などで、頸椎牽引用補助帯Ａを使用する場合で説明する。
施術者Ｍ１は、引き掛け具１を胴部に装着し、あわせて吊り掛け具２を肩部に掛けるようにして装着する。具体的には、引き掛け具１の胴ベルト１０を胴部の後ろ側から回し掛け、前部ベルト１４、１５を前で閉じて外れないように装着する。次に、吊り掛け具２の肩ベルト２１、２２を背側から両肩に回し掛けるようにする。
【００４９】
これにより、吊り掛け具２と引き掛け具１の前部、すなわち施術者Ｍ１の前方に頭部保持部３が位置した状態となる。なお、引き掛け具１と吊り掛け具２は一体となっているので、施術者Ｍ１が装着する際の取り扱いがしやすい。また、施術者Ｍ１が装着する際に、特に引き掛け具１の取り付け位置にバラツキが生じにくいので、より安定した効果的な施術が可能になる。
【００５０】
被施術者Ｍ２は、所要の高さのベッド５の上に仰向けに、かつ頭部全体がベッド５の縁からはみだすように寝かせる。施術者Ｍ１は、頭部保持具３の受布３０を、仰臥した被施術者Ｍ２の頭部を受けるように後頭部に回し掛ける。次に、施術者Ｍ１は、両手を頭部保持具３の受布３０と被施術者Ｍ２の後頭部の間に差し入れて頭部を支える（図１、図４参照）。この状態は、頭部保持具３が両手を介し頭部を間接的に保持している状態である。また、両手を受布３０の外側から添えるようにした場合は、頭部保持具３が頭部を直接保持している状態であり、この状態でも施術は可能である。
【００５１】
そして、施術者Ｍ１が自身の身体を起こしたり前後に動かしたりして、被施術者Ｍ２の頭部を頭部保持具３の受布３０と両手でやや浮かせた状態で支えるようにする。その状態で腰を引くようにして後ろに体重をかけ、被施術者Ｍ２の頸椎を所要の力で牽引して施術を行う。このとき、施術者Ｍ１は、被施術者Ｍ２の頸椎を従来の装置のように直線的に引っ張るのではなく、頸椎の生理的な湾曲度（または角度）を維持するようにして施術を行うことができる（頸椎は、便宜上、後述する図５に表しているので、図５参照）。このため、施術によって頸椎に無理な力が作用しにくく、より効果的で安全性も高い。
【００５２】
更に具体的には、施術者Ｍ１は、両手と頭部保持具３によって被施術者Ｍ２の頭部を保持し、その状態で両手による牽引（引っ張り）を頭部保持具３によりアシストするという力のバランス、すなわち両手による力と頭部保持具３による力のバランスを意識しながら、被施術者Ｍ２の頸椎を牽引する。なお、頸椎牽引用補助帯Ａを使用したこのような施術は、必ずしも施術者Ｍ１が立った状態で行う必要はなく、椅子などに座った状態でも可能である。
【００５３】
このとき、三角巾形状の受布３０の頂部３０１、３０２が被施術者Ｍ２の頭頂側となるようにして頭部を支えるようにすれば、受布３０の全巾部において底辺側に近い部分で、被施術者Ｍ２の後頭部かつ頸椎に近い部分をしっかりと支えることができる。また、受布３０が三角巾形状であるので、施術中に受布３０の両端側が被施術者Ｍ２の顔側に回り込んでも、両側が斜めに切れている形状であるため、被施術者Ｍ２にとっては鬱陶しさがなく、快適に施術を受けることができる。
【００５４】
更には、受布３０は、二箇所の頂点３０１、３０２が所要間隔でずれているので、受布３０は底辺から頂点方向における巾の平均が、各頂点３０１、３０２が揃っているものと比較して、より広くなっている。これにより、被施術者Ｍ２の頭部を支える際に、施術者の手の甲部に触れる面積がより広くなるので、頭部をより安定な状態で支えることが可能になる。
【００５５】
しかも、受布３０の材料である布は、通常では柔軟性があり、施術者Ｍ１の手の甲部の形状に沿って変形するので、受布３０によりそれぞれの部分に作用する力を無駄なく伝えることができ、施術者Ｍ１は施術がよりしやすくなる。
【００５６】
また、施術中、施術者Ｍ１の両手は、受布３０と被施術者Ｍ２の後頭部の間に挟まれ、施術中に受布３０から力が作用することにより、ほぼ固定されて外れにくく、施術者Ｍ１は、掌部で直接被施術者Ｍ２の後頭部に直に触れることができる。これにより、施術者Ｍ１は施術にあたって力が入れやすく、その加減も細かく調節できるので、施術がしやすい。
【００５７】
この状態では、上述のように施術者Ｍ１が姿勢を変えることにより、例えば施術者Ｍ１が肩部で支える吊り掛け具２に、被施術者Ｍ２の頭部の重さの大部分が作用するようにし、両手にはそれほど作用しないように加減することができる。これにより、長時間の施術を行う場合でも、施術者Ｍ１の両手の疲れなど、肉体的負担を軽減することが可能になる。
【００５８】
また、頭部保持具３は、吊り掛け具２および引き掛け具１の双方の前部に一体となるように配されている。これにより、頭部保持具３による吊り動作および引き操作を行う際に、吊り掛け具２および引き掛け具１のどちらからも、それによる力を頭部保持具３に対し、より確実に伝えることができるので、効果的な施術が可能になる。
【００５９】
この施術においては、頸椎牽引用補助帯Ａにより施術の補助をすることで、施術者Ｍ１が、牽引をする力の強さや牽引の方向などを加減したり、あるいは調整したりすることが可能であり、人の手による頸椎牽引の施術を行う際の補助帯として有用である。具体的には、被施術者Ｍ２の頸椎（首部）を引っ張ったり緩めたり、引っ張る方向を少し変えたり軽く捻ったりするなど、被施術者Ｍ２の表情や反応を確かめながら繊細かつ安全で充分な施術を行うことができる。したがって、頸椎を牽引する施術において、施術の効果に優れ、安全性が高い施術を行うことができる。
【００６０】
図５を参照する。なお、図５において、上述した頸椎牽引用補助帯Ａと同一または同等箇所には同一の符号を付して示し、構造について重複する説明は省略する。
【００６１】
頸椎牽引用補助帯Ｂは、引きベルト１２のベルト体１２０に、ベルト体１２０にかかる張力をリアルタイムで表示することができる張力センサ４を取り付けた構造である。頸椎牽引用補助帯Ｂは、この点のみ上述の頸椎牽引用補助帯Ａと相違する構造であり、他の部分の構造は頸椎牽引用補助帯Ａと同様である。
【００６２】
頸椎牽引用補助帯Ｂによれば、施術中において、施術者Ｍ１は、被施術者Ｍ２の頸椎を引っ張っている力（牽引している力）を張力センサ４によってリアルタイムで確認することができ、力の加減がしやすく、より安全な施術が可能になる。これにより、例えば施術の際の引っ張り力を、被施術者ごとに設定した安全かつ効果的な値で管理することが可能になる。
【００６３】
なお、実際に被施術者Ｍ２の頸椎を引っ張っている力は、両手で引く力と頸椎牽引用補助帯Ｂで引く力の合力であるので、数値を正確に管理しようとすれば、両手で引っ張っている力を緩めて頸椎牽引用補助帯Ｂで引いている力だけで管理するのがよいと思われるが、施術者Ｍ１が両手で引く力をほぼ一定にするよう注意すれば、力を緩めないで測った数値でも実質的に問題はない。
【００６４】
なお、頸椎牽引用補助帯においては、施術中に引っ張り力が作用する部分（例えば、各ベルトなど）にバネやゴムなどの縮小方向に付勢する付勢体を使用して引っ張り力（牽引力）をやわらげて安全を図るようにすることもできる。また、これと同様の目的で、受布の材料として、伸縮可能な素材を使用することもできる。
【００６５】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６６】
Ａ  頸椎牽引用補助帯
１  引き掛け具
１０  胴ベルト
１００  ベルト体
１０１  メッシュ地
１２、１３  引きベルト
１２０、１３０  ベルト体
１２１、１３１  バックル
１４、１５  前部ベルト
１４０  ベルト体
１４１  バックル
１５０  ベルト体
１５１  バックル
２  吊り掛け具
２１、２２  肩ベルト
２１０、２２０  ベルト体
２１１、２２１  メッシュ地
２３、２４  吊りベルト
２３０、２４０  ベルト体
２３１、２４１  バックル
３  頭部支持具
３０  受布
３０１、３０２  頂点
３０３  補強部
３１、３２  取着布
３１１、３２１  バックル
３１２、３２２  バックル
３３、３４  取着布
４  張力センサ
【図１】
2017140249.tif 000003
【図２】
2017140249.tif 000004
【図３】
2017140249.tif 000005
【図４】
2017140249.tif 000006
【図５】
2017140249.tif 000007